(57)【要約】  測定用信号生成装置は、音場補正に用いる測定用信号を生成可能に構成されたＡＶシステムなどに好適に適用される。具体的には、測定用信号生成手段は、複数のチャンネルにおける２チャンネル間の相関値の平均値と標準偏差とに基づいて、当該２チャンネル間で２つの信号をミキシングする量を決定する。そして、決定されたミキシングする量に基づいて２つの信号をミキシングすることにより測定用信号を生成することで、複数のチャンネル分の測定用信号を生成する。これにより、実際のコンテンツに近いチャンネル間の相関を有する測定用信号を生成することができ、当該測定用信号を用いて音場補正を行うことにより、実際のコンテンツ再生時の評価とのギャップを解消することが可能となる。
2010044158.tif 000002
【特許請求の範囲】
【請求項１】
複数のチャンネル分の測定用信号を生成する測定用信号生成装置であって、
前記複数のチャンネルにおける２チャンネル間の相関値の平均値と標準偏差とに基づいて、当該２チャンネル間で２つの信号をミキシングする量を決定し、前記ミキシングする量に基づいて前記２つの信号をミキシングすることにより測定用信号を生成することで、前記複数のチャンネル分の測定用信号を生成する測定用信号生成手段を備えることを特徴とする測定用信号生成装置。
【請求項２】
前記測定用信号生成手段は、前記複数のチャンネルにおける２チャンネル間の相関値の平均値と標準偏差とに基づいて、コンテンツにおける前記２チャンネル間の相関を模擬することで、前記複数のチャンネル分の測定用信号を生成することを特徴とする請求項１に記載の測定用信号生成装置。
【請求項３】
前記測定用信号生成手段は、前記複数のチャンネルにおける前記２チャンネルとして、隣接するチャンネルを選択することを特徴とする請求項１又は２に記載の測定用信号生成装置。
【請求項４】
前記測定用信号生成手段は、正規分布乱数発生アルゴリズムに基づいて、前記２チャンネル間の相関値の平均値と標準偏差とに応じた、時間方向にばらつきを有する相関値の乱数データを生成する乱数生成手段を備えることを特徴とする請求項１乃至３のいずれか一項に記載の測定用信号生成装置。
【請求項５】
前記測定用信号生成手段は、前記乱数生成手段が生成した前記乱数データに基づいて、前記２チャンネル間で前記２つの信号をミキシングする量を決定するミキシング量決定手段を備えることを特徴とする請求項４に記載の測定用信号生成装置。
【請求項６】
前記測定用信号生成手段は、前記ミキシング量決定手段が決定したミキシング量によって、前記複数のチャンネル分について生成された無相関信号のうち任意の２チャンネル間の無相関信号、若しくは前記複数のチャンネル分について生成された無相関信号と、前記測定用信号とをミキシングする処理を行うミキシング処理手段を備えることを特徴とする請求項５に記載の測定用信号生成装置。
【請求項７】
前記相関値の平均値と標準偏差とは、曲のジャンル及び曲調の少なくともいずれかに基づいて設定されていることを特徴とする請求項１乃至６のいずれか一項に記載の測定用信号生成装置。
【請求項８】
前記測定用信号生成手段で生成された測定用信号を記憶する記憶手段を更に有する請求項１乃至７のいずれか一項に記載の測定用信号生成装置。
【請求項９】
複数のチャンネル分の測定用信号を生成する測定用信号生成方法であって、
前記複数のチャンネルにおける２チャンネル間の相関値の平均値と標準偏差とに基づいて、当該２チャンネル間で２つの信号をミキシングする量を決定し、前記ミキシングする量に基づいて前記２つの信号をミキシングすることにより測定用信号を生成することで、前記複数のチャンネル分の測定用信号を生成する測定用信号生成工程を備えることを特徴とする測定用信号生成方法。
【請求項１０】
コンピュータによって実行され、複数のチャンネル分の測定用信号を生成するための測定用信号生成プログラムであって、
前記コンピュータを、
前記複数のチャンネルにおける２チャンネル間の相関値の平均値と標準偏差とに基づいて、当該２チャンネル間で２つの信号をミキシングする量を決定し、前記ミキシングする量に基づいて前記２つの信号をミキシングすることにより測定用信号を生成することで、前記複数のチャンネル分の測定用信号を生成する測定用信号生成手段として機能させることを特徴とする測定用信号生成プログラム。
【請求項１１】
複数のチャンネル分の測定用信号が記憶された記録媒体であって、
前記複数のチャンネル分の測定用信号は、前記複数のチャンネルにおける２チャンネル間の相関値が異なることを特徴とする記録媒体。
【請求項１２】
前記複数のチャンネル分の測定用信号は、前記複数のチャンネルにおける２チャンネル間の相関値の平均値と標準偏差とに基づいて、当該２チャンネル間で２つの信号をミキシングする量が決定されて、前記ミキシングする量に基づいて前記２つの信号をミキシングすることで生成された測定用信号によって生成されていることを特徴とする請求項１１に記載の記録媒体。
【発明の詳細な説明】
【技術分野】
【０００１】
本発明は、ＡＶシステムのサラウンド補正に用いる測定用信号を生成する技術分野に関する。
【背景技術】
【０００２】
近年、５．１チャンネルなどの複数のスピーカから構成されるＡＶシステムが用いられている。このようなＡＶシステムにおいては、一般的に、サラウンド補正（音場補正など）のための測定用信号にはノイズ等の特殊な信号が用いられていた。例えば、複数のチャンネル全てで同相・同レベルの測定用信号が用いられていた。このような測定用信号は、実際のコンテンツにおけるチャンネル間の関係（具体的には相関）を考慮したものではなかった。そのため、測定用信号を用いた評価と実際のコンテンツの評価との間に、ギャップが生じる傾向にあった。つまり、従来の手法では、複数チャンネルの合成時の特性評価が困難であった。【０００３】
なお、本発明に関連のある技術が、例えば特許文献１及び２に提案されている。【０００４】
【特許文献１】特開平７−３１９４８３号公報
【特許文献２】特表２００５−５２３６２４号公報
【発明の開示】
【発明が解決しようとする課題】
【０００５】
本発明が解決しようとする課題としては、上記のものが一例として挙げられる。本発明は、チャンネル間の相関を適切に考慮して、複数のチャンネル分の測定用信号を生成することが可能な測定用信号生成装置、測定用信号生成方法、及び測定用信号生成プログラム、並びに記録媒体を提供することを目的とする。
【課題を解決するための手段】
【０００６】
請求項１に記載の発明は、複数のチャンネル分の測定用信号を生成する測定用信号生成装置は、前記複数のチャンネルにおける２チャンネル間の相関値の平均値と標準偏差とに基づいて、当該２チャンネル間で２つの信号をミキシングする量を決定し、前記ミキシングする量に基づいて前記２つの信号をミキシングすることにより測定用信号を生成することで、前記複数のチャンネル分の測定用信号を生成する測定用信号生成手段を備える。【０００７】
請求項９に記載の発明は、複数のチャンネル分の測定用信号を生成する測定用信号生成方法は、前記複数のチャンネルにおける２チャンネル間の相関値の平均値と標準偏差とに基づいて、当該２チャンネル間で２つの信号をミキシングする量を決定し、前記ミキシングする量に基づいて前記２つの信号をミキシングすることにより測定用信号を生成することで、前記複数のチャンネル分の測定用信号を生成する測定用信号生成工程を備える。【０００８】
請求項１０に記載の発明は、コンピュータによって実行され、複数のチャンネル分の測定用信号を生成するための測定用信号生成プログラムは、前記コンピュータを、前記複数のチャンネルにおける２チャンネル間の相関値の平均値と標準偏差とに基づいて、当該２チャンネル間で２つの信号をミキシングする量を決定し、前記ミキシングする量に基づいて前記２つの信号をミキシングすることにより測定用信号を生成することで、前記複数のチャンネル分の測定用信号を生成する測定用信号生成手段として機能させる。【０００９】
請求項１１に記載の発明は、複数のチャンネル分の測定用信号が記憶された記録媒体において、前記複数のチャンネル分の測定用信号は、前記複数のチャンネルにおける２チャンネル間の相関値が異なる。
【図面の簡単な説明】
【００１０】
【図１】本実施例に係る測定用信号生成装置が適用されたＡＶシステムの概略構成図である。
【図２】音場測定処理部の処理部を示す図である。
【図３】スピーカの構成例及び配置例を示す図である。
【図４】受聴点近傍での音圧分布の例を示す図である。
【図５】実際のコンテンツにおけるチャンネル間の相関を説明するための図である。
【図６】チャンネル間の相関を模擬する方法について説明するための図である。
【図７】測定用信号生成部の処理部の具体例を示す図である。
【図８】ミキシング量の決定方法を説明するための図である。
【図９】ミキシング処理方法の具体例を説明するための図である。
【図１０】生成された測定用信号におけるチャンネル間の相関値の一例を示す図である。
【図１１】実際のコンテンツにおけるチャンネル間の相関値の一例を示す図である。
【図１２】本実施例に係る測定用信号生成処理を示すフローチャートである。
【符号の説明】
【００１１】
１２  ユーザＩ／Ｆ
１３  マイクロホン
１４  音場補正処理部
１５  音場測定処理部
１６  制御部
１８  スピーカ
５１  測定用信号生成部
５１ａ  無相関信号生成部
５１ｆ  相関信号生成部
５１ｇ  乱数生成処理部
５１ｈ  ミキシング量決定処理部
５１ｉ  ミキシング処理部
５１ｋ  メモリ部
１００  ＡＶシステム
【発明を実施するための最良の形態】
【００１２】
本発明の１つの観点では、複数のチャンネル分の測定用信号を生成する測定用信号生成装置は、前記複数のチャンネルにおける２チャンネル間の相関値の平均値と標準偏差とに基づいて、当該２チャンネル間で２つの信号をミキシングする量を決定し、前記ミキシングする量に基づいて前記２つの信号をミキシングすることにより測定用信号を生成することで、前記複数のチャンネル分の測定用信号を生成する測定用信号生成手段を備える。【００１３】
上記の測定用信号生成装置は、音場補正に用いる測定用信号を生成可能に構成されたＡＶシステムなどに好適に適用され、複数のチャンネル分の測定用信号を生成する。具体的には、測定用信号生成手段は、複数のチャンネルにおける２チャンネル間の相関値の平均値と標準偏差とに基づいて、当該２チャンネル間で２つの信号をミキシングする量を決定する。そして、測定用信号生成手段は、決定されたミキシングする量に基づいて２つの信号をミキシングすることにより測定用信号を生成することで、複数のチャンネル全ての測定用信号を生成する。これにより、実際のコンテンツに近い、チャンネル間の相関を有する測定用信号を生成することができる。したがって、このような測定用信号を用いて音場補正を行うことにより、実際のコンテンツ再生時の評価とのギャップを解消することが可能となる。つまり、上記の測定用信号生成装置によれば、複数チャンネルの合成時の特性評価を適切に行うことができる。【００１４】
上記の測定用信号生成装置の一態様では、前記測定用信号生成手段は、前記複数のチャンネルにおける２チャンネル間の相関値の平均値と標準偏差とに基づいて、コンテンツにおける前記２チャンネル間の相関を模擬することで、前記複数のチャンネル分の測定用信号を生成することができる。【００１５】
上記の測定用信号生成装置の他の一態様では、前記測定用信号生成手段は、前記複数のチャンネルにおける前記２チャンネルとして、隣接するチャンネルを選択する。【００１６】
この態様では、隣接するチャンネル間では比較的高い相関を持つ場合が見られるため、このような相関を考慮して測定用信号を生成する。これにより、実際のコンテンツにより近い、チャンネル間の相関を有する測定用信号を生成することが可能となる。【００１７】
上記の測定用信号生成装置において好適には、前記測定用信号生成手段は、正規分布乱数発生アルゴリズムに基づいて、前記２チャンネル間の相関値の平均値と標準偏差とに応じた、時間方向にばらつきを有する相関値の乱数データを生成する乱数生成手段を備える。【００１８】
また好適には、前記測定用信号生成手段は、前記乱数生成手段が生成した前記乱数データに基づいて、前記２チャンネル間で前記２つの信号をミキシングする量を決定するミキシング量決定手段を備える。例えば、ミキシング量決定手段は、予め求められた相関値とミキシングする量（ミキシング量）との関係に基づいて、乱数生成手段が生成した乱数データに対応するミキシング量を決定する。【００１９】
また好適には、前記測定用信号生成手段は、前記ミキシング量決定手段が決定したミキシング量によって、前記複数のチャンネル分について生成された無相関信号のうち任意の２チャンネル間の無相関信号、若しくは前記複数のチャンネル分について生成された無相関信号と、前記測定用信号とをミキシングする処理を行うミキシング処理手段を備える。【００２０】
好適な実施例では、前記相関値の平均値と標準偏差とは、曲のジャンル及び曲調の少なくともいずれかに基づいて設定されている。これによれば、曲のジャンルや曲調などによってチャンネル間の相関も変化する傾向にあるため、このような傾向に応じた測定用信号を生成することが可能となる。【００２１】
また、好適な実施例では、上記の測定用信号生成装置は、前記測定用信号生成手段で生成された測定用信号を記憶する記憶手段を更に有する。【００２２】
本発明の他の観点では、複数のチャンネル分の測定用信号を生成する測定用信号生成方法は、前記複数のチャンネルにおける２チャンネル間の相関値の平均値と標準偏差とに基づいて、当該２チャンネル間で２つの信号をミキシングする量を決定し、前記ミキシングする量に基づいて前記２つの信号をミキシングすることにより測定用信号を生成することで、前記複数のチャンネル分の測定用信号を生成する測定用信号生成工程を備える。【００２３】
また、本発明の他の観点では、コンピュータによって実行され、複数のチャンネル分の測定用信号を生成するための測定用信号生成プログラムは、前記コンピュータを、前記複数のチャンネルにおける２チャンネル間の相関値の平均値と標準偏差とに基づいて、当該２チャンネル間で２つの信号をミキシングする量を決定し、前記ミキシングする量に基づいて前記２つの信号をミキシングすることにより測定用信号を生成することで、前記複数のチャンネル分の測定用信号を生成する測定用信号生成手段として機能させる。【００２４】
更に、本発明の他の観点では、複数のチャンネル分の測定用信号が記憶された記録媒体において、前記複数のチャンネル分の測定用信号は、前記複数のチャンネルにおける２チャンネル間の相関値が異なる。【００２５】
好適には、前記複数のチャンネル分の測定用信号は、前記複数のチャンネルにおける２チャンネル間の相関値の平均値と標準偏差とに基づいて、当該２チャンネル間で２つの信号をミキシングする量が決定されて、前記ミキシングする量に基づいて前記２つの信号をミキシングすることで生成された測定用信号によって生成されている。【００２６】
上記した測定用信号生成方法、測定用信号生成プログラム、及び記録媒体によっても、実際のコンテンツに近いチャンネル間の相関を有する測定用信号を生成することができ、このような測定用信号を用いて音場補正を行うことにより、実際のコンテンツ再生時の評価とのギャップを解消することが可能となる。
【実施例】
【００２７】
以下、図面を参照して本発明の好適な実施例について説明する。【００２８】
［システム構成］
図１は、本実施例に係る測定用信号生成装置が適用されたＡＶシステム１００の概略構成図を示す。【００２９】
ＡＶシステム１００は、主に、メディア再生部１１と、ユーザＩ／Ｆ（インターフェース）１２と、マイクロホン１３と、音場補正処理部１４と、音場測定処理部１５と、制御部１６と、パワーアンプ部１７と、スピーカ１８と、映像出力部１９と、映像表示部２０と、を備える。【００３０】
メディア再生部１１は、ＣＤ（Compact Disc）やＤＶＤ（Digital Versatile Disc）やＢＤ（Blu-ray Disc）などを再生することで、音声信号を音場補正処理部１４に供給すると共に、映像信号を映像出力部１９に供給する。ユーザＩ／Ｆ１２は、ユーザによって種々の操作を行うことが可能に構成されており、ユーザの操作に対応する信号を制御部１６に供給する。マイクロホン１３は、音声を集音し、音声信号を音場測定処理部１５に供給する。例えば、マイクロホン１３は、スピーカ１８より出力された音声を集音する。【００３１】
音場補正処理部１４は、制御部１６によって制御され、メディア再生部１１から供給された音声信号に対して、音場測定結果に応じた補正を行う。例えば、音場補正処理部１４は、スピーカ１８から受聴点までの、周波数補正やレベル補正や時間補正などを行う。パワーアンプ部１７は、音場補正処理部１４から供給された音声信号を増幅する処理を行い、当該処理後の音声信号をスピーカ１８に供給する。【００３２】
音場測定処理部１５は、マイクロホン１３から取得された音声信号に基づいて、スピーカ１８から受聴点までの音場を測定する処理を行う。詳しくは、音場測定処理部１５は、音場補正に用いる測定用信号（テスト信号）を生成してスピーカ１８から出力させる共に、マイクロホン１３で集音された測定用信号に基づいて音場を測定する処理を行う。スピーカ１８は、複数（例えば５個）のスピーカを備えて構成され、パワーアンプ部１７で処理された音声信号及び音場測定処理部１５で生成された測定用信号のいずれか一方の音声信号を出力する。なお、制御部１６によって、スピーカ１８から出力される音声信号の切り替えが行われる。【００３３】
制御部１６は、ユーザＩ／Ｆ１２と、音場補正処理部１４と、音場測定処理部１５と、パワーアンプ部１７と、スピーカ１８との間で信号の入出力を行うことで、種々の制御を実行する。制御部１６は、主に、音場測定処理部１５及び音場補正処理部１４との間で信号の入出力を行うことで、測定用信号の生成に関する制御、及び音場補正に関する制御を実行する。【００３４】
映像出力部１９は、メディア再生部１１で再生された映像信号に対して所定の処理を行い映像表示部２０に出力する。映像表示部２０は、映像出力部１９から出力された映像信号を表示する処理を行う。【００３５】
図２は、音場測定処理部１５の処理部を示す図である。音場測定処理部１５は、音場測定のための測定用信号を生成する測定用信号生成部５１と、測定用信号に基づいて音場を測定する音場測定部５２と、備える。具体的には、測定用信号生成部５１は、複数のチャンネル分の測定用信号を生成し、生成した測定用信号をスピーカ１８から出力させる。音場測定部５２は、このようにスピーカ１８から出力された測定用信号に基づいて、音場測定を行う。詳しくは、マイクロホン１３で集音された測定用信号に基づいて音場測定を行う。なお、測定用信号生成部５１は、本発明における測定用信号生成装置に相当し、測定用信号生成手段として機能する。【００３６】
図３は、スピーカ１８の構成例及び配置例を示す図である。ここでは、スピーカ１８が５つのスピーカを有する場合を例に挙げる。具体的には、図示のように、スピーカ１８は、センターに配置されるスピーカ１８Ｃと、フロント右に配置されるスピーカ１８Ｒと、フロント左に配置されるスピーカ１８Ｌと、リア右に配置されるスピーカ１８ＳＲと、リア左に配置されるスピーカ１８ＳＬとを有する。【００３７】
図３（ａ）は、スピーカ１８をカー配置した場合（車室に配置した場合）の図を示している。この場合には、受聴点は、例えば符号Ａ１１で示す位置となる。また、ハッチング領域Ａ１２は、受聴点Ａ１１近傍の音圧分布例を示している。一方、図３（ｂ）は、スピーカ１８を同心円配置した場合の図を示している。この場合には、受聴点は、例えば符号Ａ２１で示す位置となる。また、ハッチング領域Ａ２２は、受聴点Ａ２１近傍の音圧分布例を示している。【００３８】
［測定用信号生成方法］
次に、本実施例における測定用信号生成方法について具体的に説明する。本実施例では、測定用信号生成部５１は、チャンネル間の相関を適切に考慮して、複数のチャンネル分（例えば５チャンネル分）の測定用信号を生成する処理を行う。具体的には、測定用信号生成部５１は、複数のチャンネルにおける２チャンネル間の相関値の平均値と標準偏差とに基づいて、当該２チャンネル間で２つの信号をミキシングする量を決定し、このミキシングする量に基づいて２つの信号をミキシングすることにより測定用信号を生成することで、複数のチャンネル分の測定用信号を生成する。即ち、測定用信号生成部５１は、複数のチャンネルにおける２チャンネル間の相関値の平均値と標準偏差とに基づいて、実際のコンテンツにおける２チャンネル間の相関を模擬することで、複数のチャンネル分の測定用信号を生成する。【００３９】
ここで、図４乃至図６を参照して、上記のような測定用信号生成方法を行う理由について説明する。【００４０】
図４は、図３に示したようにスピーカ１８を配置した場合の受聴点Ａ１１、Ａ２１近傍での音圧分布（ハッチング領域Ａ１２、Ａ２２に対応する）の例を示している。なお、図４では、フロントに配置されたスピーカ１８Ｒ、１８Ｌのみから音声信号を出力させた場合の音圧分布を示している。また、図４においては、実線で示す丸は受聴点の直近傍に相当し、グレースケールで表した色が薄く（明るく）なるほど、音圧のレベルが高くなるものとする。【００４１】
図４（ａ）〜（ｃ）は、スピーカ１８Ｒ、１８Ｌから同相信号を出力させた場合の音圧分布の例を示している。具体的には、図４（ａ）は、スピーカ１８をカー配置した際の受聴点Ａ１１での音圧分布を示している。この音圧分布は、音場補正（時間補正など）を行っていないものを示している。これより、音圧の中心が大きくずれていることがわかる。図４（ｂ）は、スピーカ１８をカー配置した際の受聴点Ａ１１で得られる信号を時間補正（タイムアライメント補正）した場合の音圧分布を示している。これより、図４（ａ）に示す音圧分布と比較して、音圧の中心のずれが低減していることがわかる。一方、図４（ｃ）は、スピーカ１８を同心円配置した際の受聴点Ａ２１での音圧分布を示している。これより、均一な分布となっており、理想的な分布であることがわかる。【００４２】
次に、図４（ｄ）〜（ｆ）は、スピーカ１８Ｒ、１８Ｌから実際のコンテンツの音声信号を出力させた場合の音圧分布の例を示している。具体的には、図４（ｄ）は、スピーカ１８をカー配置した際の受聴点Ａ１１での音圧分布を示している。この音圧分布は、音場補正を行っていないものを示している。これより、音圧の中心が大きくずれていることがわかる。図４（ｅ）は、スピーカ１８をカー配置した際の受聴点Ａ１１で得られる信号を時間補正した場合の音圧分布を示している。これより、上記の図４（ｂ）に示す音圧分布と比較して、音圧の中心がずれていることがわかる。つまり、測定用信号（同相信号）を用いた評価と実際のコンテンツの評価との間にギャップが生じていることがわかる。よって、実際のコンテンツに対しては、時間補正だけでは不十分であると言える。一方、図４（ｆ）は、スピーカ１８を同心円配置した際の受聴点Ａ２１での音圧分布を示している。これより、均一な分布となっており、理想的な分布であることがわかる。【００４３】
以上のことから、実際のコンテンツを再生した際に、スピーカ配置及び受聴点によらずに、図４（ｃ）、（ｆ）で示すような音圧分布が得られるように、音場補正を行うことが望ましいと言える。具体的には、上記したような時間補正などに加えて、スピーカ１８Ｒ、１８Ｌ間のレベル差に応じた補正を行うことが望ましいと考えられる。したがって、本実施例では、実際のコンテンツ再生時の評価とのギャップを埋めるような測定用信号を生成する。つまり、実際のコンテンツ再生時の評価とのギャップが解消するように、チャンネル間の相関を適切に考慮して複数のチャンネル分の測定用信号を生成し、当該測定用信号に基づいて音場補正が行われるようにする。【００４４】
図５は、実際のコンテンツにおけるチャンネル間の相関を説明するための図である。ここでは、図５（ａ）に示すように５つのスピーカ１８Ｃ、１８Ｒ、１８Ｌ、１８ＳＲ、１８ＳＬを配置した場合における、隣接するチャンネル間の相関値を例に挙げる。具体的には、破線Ｂ１で示すようなスピーカ１８ＳＲ及びスピーカ１８ＳＬにおけるチャンネル間の相関値と、破線Ｂ２で示すようなスピーカ１８Ｌ及びスピーカ１８ＳＬにおけるチャンネル間の相関値と、破線Ｂ３で示すようなスピーカ１８Ｒ及びスピーカ１８ＳＲにおけるチャンネル間の相関値と、破線Ｂ４で示すようなスピーカ１８Ｃ及びスピーカ１８Ｌにおけるチャンネル間の相関値と、破線Ｂ５で示すようなスピーカ１８Ｃ及びスピーカ１８Ｒにおけるチャンネル間の相関値と、について説明する。【００４５】
図５（ｂ）は、横軸に時間（ｓｅｃ）を示し、縦軸に相関値を示している。具体的には、図５（ｂ）は、実際のコンテンツにおける、上記したチャンネル間の相関値の時間変化例を示している。これより、チャンネル間によって相関値の平均値が異なることがわかる。また、相関値が時間変動（時間軸方向に変動）していると共に、チャンネル間によって当該時間変動の態様が異なることがわかる。本実施例では、このような実際のコンテンツにおけるチャンネル間の相関値の平均値及び時間変動を考慮に入れて、当該平均値及び時間変動を模擬した測定用信号を生成する。【００４６】
図６は、チャンネル間の相関を模擬する方法について説明するための図である。本実施例では、曲線Ｃ１で示すような正規分布を用いてチャンネル間の相関を模擬して、複数のチャンネル分の測定用信号を生成する。具体的には、上記した相関値の平均値を正規分布Ｃ１における平均値Ｃ２によって模擬すると共に、相関値の時間変動を正規分布Ｃ１における標準偏差Ｃ３によって模擬する。【００４７】
このような測定用信号生成方法を行うことにより、実際のコンテンツに近い、チャンネル間の相関を有する測定用信号を生成することができる。したがって、このような測定用信号を用いて音場補正を行うことにより、実際のコンテンツ再生時の評価とのギャップを解消することが可能となる。つまり、本実施例に係る測定用信号生成方法によれば、複数のチャンネルの合成時の特性評価を適切に行うことができる。【００４８】
［測定用信号生成部の構成例］
次に、図７を参照して、上記したような測定用信号生成方法を実現可能な測定用信号生成部５１の構成例について説明する。【００４９】
図７は、測定用信号生成部５１の処理部を示す図である。図示のように、測定用信号生成部５１は、主に、無相関信号生成部５１ａと、相関信号生成部５１ｆと、メモリ部５１ｋと、を備える。【００５０】
測定用信号生成部５１は、５チャンネル（ＣＨ１〜ＣＨ５）分の無相関信号を生成する処理を行う。具体的には、測定用信号生成部５１は、ピンクノイズやホワイトノイズなどの無相関信号を生成するノイズジェネレータ５１ｂと、ノイズジェネレータ５１ｂで生成された無相関信号の供給先を切り替え可能なスイッチ部５１ｃと、５チャンネル分の無相関信号を記憶するメモリ部５１ｄと、を備える。スイッチ部５１ｅは、制御部１６からの指令に応じて、メモリ部５１ｄに記憶された５チャンネル分の無相関信号のうちの２チャンネル分の無相関信号を選択して、当該２チャンネル分の無相関信号を相関信号生成部５１ｆへ供給する。【００５１】
相関信号生成部５１ｆは、スイッチ部５１ｅで選択された２チャンネル間の相関に応じた測定用信号（相関信号）を生成する処理を行う。具体的には、相関信号生成部５１ｆは、乱数生成処理部５１ｇと、ミキシング量決定処理部５１ｈと、ミキシング処理部５１ｉと、を備える。乱数生成処理部５１ｇは、スイッチ部５１ｅで選択された２チャンネル間の相関値の平均値と標準偏差とを制御部１６から取得し、正規分布乱数発生アルゴリズムに基づいて、当該相関値の平均値と標準偏差とに応じた時間方向にばらつきを有する相関値の乱数データ（以下、「相関値情報」とも呼ぶ。）を生成する。つまり、乱数生成処理部５１ｇは、選択された２チャンネル間における信号の相関値のばらつきを制御する。【００５２】
より具体的には、乱数生成処理部５１ｇは、上記した２チャンネル間の相関値の平均値と標準偏差と共に、生成すべき測定用信号の時間長、及び当該時間長の測定用信号を所定時間単位にて分割する数（以下、分割された信号の単位を「分割フレーム」と呼ぶ。）を、制御部１６から取得する。そして、乱数生成処理部５１ｇは、正規分布乱数発生アルゴリズムに基づいて、取得された相関値の平均値と標準偏差とに応じた乱数データ（±１）を分割フレーム分生成する。この後、乱数生成処理部５１ｇは、生成された乱数データを相関値情報としてミキシング量決定処理部５１ｈに供給する。なお、乱数生成処理部５１ｇは、各チャンネル間ごとに（例えば、ＣＨ１とＣＨ２とのチャンネル間、ＣＨ２とＣＨ３とのチャンネル間、ＣＨ３とＣＨ４とのチャンネル間など）、相関値情報を生成する。このように、乱数生成処理部５１ｇは、本発明における乱数生成手段として機能する。【００５３】
なお、乱数生成処理部５１ｇが取得する相関値の平均値及び標準偏差は、例えば、曲のジャンル（クラシックやロックやジャズなど）や、曲調や、作成すべき音場のイメージ（明るい感じや癒される感じなど）に応じて、各チャンネル間ごとに設定されている。この場合、ユーザが曲のジャンルや曲調や音場のイメージなどの少なくともいずれかを選択することで、制御部１６が、この選択に応じた相関値の平均値と標準偏差とを決定して乱数生成処理部５１ｇへ供給する。例えば、相関値の平均値及び標準偏差は、各チャンネル間ごとに、曲のジャンルや曲調や音場のイメージなどに対応付けられて記憶されている。【００５４】
次に、ミキシング量決定処理部５１ｈは、乱数生成処理部５１ｇから取得された相関値情報をミキシング量に変換する処理を行う。このミキシング量は、スイッチ部５１ｅで選択された２チャンネル間において、２つの信号をミキシングする量（言い換えると混合割合）に相当する。ミキシング量は、相関値情報における乱数データが分割フレーム分存在するため、分割フレーム分求められる量であると共に、各チャンネル間ごとに求められる量である。より詳しくは、ミキシング量は、一方のチャンネルにおける無相関信号、もしくは測定用信号（既に生成された信号）と、他方のチャンネルにおける無相関信号とをミキシングする量に相当する。例えば、ミキシング量決定処理部５１ｈは、予め実験などによって求められた、相関値とミキシング量との関係（マップなど）に基づいて、取得された相関値情報に対応するミキシング量を決定する。そして、ミキシング量決定処理部５１ｈは、決定されたミキシング量をミキシング処理部５１ｉに供給する。このように、ミキシング量決定処理部５１ｈは、本発明におけるミキシング量決定手段として機能する。【００５５】
ミキシング処理部５１ｉは、ミキシング量決定処理部５１ｈで決定されたミキシング量によって、スイッチ部５１ｅで選択された２チャンネル間について、２つの信号をミキシングする処理を行う。具体的には、ミキシング処理部５１ｉは、一方のチャンネルにおける無相関信号、もしくは測定用信号（既に生成された信号）と他方のチャンネルにおける無相関信号とを、ミキシング量に応じてミキシングする処理を行う。そして、ミキシング処理部５１ｉは、ミキシングによって得られた信号（該当するチャンネルの測定用信号に対応する）をスイッチ部５１ｊに供給する。このように、ミキシング処理部５１ｉは、本発明におけるミキシング処理手段として機能する。【００５６】
スイッチ部５１ｊは、ミキシング処理部５１ｉから測定用信号を取得して、制御部１６からの指令に応じて、当該測定用信号を記憶させるメモリ部５１ｋのチャンネルを切り替える。メモリ部５１ｋは、５チャンネル分の測定用信号を記憶し、記憶された測定用信号を対応するスピーカ１８Ｃ、１８Ｒ、１８Ｌ、１８ＳＲ、１８ＳＬへ供給する。【００５７】
なお、図７では、チャンネルＣＨ１を基準として扱う場合を例示している。つまり、チャンネルＣＨ１を基準として、残りのチャンネルＣＨ２〜ＣＨ５の測定用信号を順次生成する処理部の例を示している。そのため、図７に示すように、チャンネルＣＨ１に対応するメモリ部５１ｋには、無相関信号生成部５１ａのメモリ部５１ｄから無相関信号が供給され、当該無相関信号がそのまま記憶される。つまり、チャンネルＣＨ１については、無相関信号がそのまま測定用信号として用いられることとなる。【００５８】
次に、図８及び図９を参照して、ミキシング量決定処理部５１ｈ及びミキシング処理部５１ｉが行う処理例について説明する。【００５９】
図８は、ミキシング量の決定方法の具体例を説明するための図である。具体的には、図８は、ミキシング量と相関値との関係の一例を示している。当該関係は、例えば予め実験などを行うことにより得られる。ミキシング量決定処理部５１ｈは、このような関係を参照することで、乱数生成処理部５１ｇから取得された相関値（相関値情報）に対応するミキシング量を決定する。例えば、相関値として「０．６」を取得した場合には、ミキシング量決定処理部５１ｈは、ミキシング量として「０．４５」を決定する（図８中の矢印参照）。【００６０】
図９は、ミキシング処理方法の具体例を説明するための図である。ここでは、図９（ａ）に示すように、５つのスピーカ１８Ｃ、１８Ｌ、１８ＳＬ、１８ＳＲ、１８Ｒを用いた場合において、各スピーカのチャンネルに用いる測定用信号を生成する場合を例に挙げる。具体的には、当該例では、ミキシング処理部５１ｉは、フロントのスピーカ１８Ｃを基準にして、その他のスピーカ１８Ｌ、１８ＳＬ、１８ＳＲ、１８Ｒについて、隣接する２チャンネル間の相関を考慮して測定用信号を順次生成していく。この場合、スピーカ１８Ｃにおけるチャンネルは、図７に示したチャンネルＣＨ１に対応する。詳しくは、ミキシング処理部５１ｉは、白抜き矢印Ｄ１、Ｄ２、Ｄ３、Ｄ４で示すように、スピーカ１８Ｃのチャンネルを基準として、スピーカ１８Ｌのチャンネル→スピーカ１８ＳＬのチャンネル→スピーカ１８ＳＲのチャンネル→スピーカ１８Ｒのチャンネルの順に、測定用信号を順次生成していく。【００６１】
また、図９（ａ）に示すように、スピーカ１８Ｃ、１８Ｌ、１８ＳＬ、１８ＳＲ、１８Ｒの各チャンネルで用いられる無相関信号を、それぞれ、「Ｘ１」、「Ｘ２」、「Ｘ３」、「Ｘ４」、「Ｘ５」と表記する。これらの無相関信号は、前述したように、メモリ部５１ｄに記憶され、スイッチ部５１ｅによって選択が行われてミキシング処理部５１ｉに供給される信号である。更に、スピーカ１８Ｃ、１８Ｌ、１８ＳＬ、１８ＳＲ、１８Ｒの各チャンネルで用いられる測定用信号を、それぞれ、「Ｃｃｈ」、「Ｌｃｈ」、「ＳＬｃｈ」、「ＳＲｃｈ」、「Ｒｃｈ」と表記する。なお、スピーカ１８Ｃのチャンネルを基準とするため、スピーカ１８Ｃのチャンネルにおける測定用信号Ｃｃｈには、無相関信号Ｘ１が用いられる。【００６２】
図９（ｂ）は、スピーカ１８Ｌのチャンネルにおける測定用信号Ｌｃｈを求める方法を説明するための図である。この場合、ミキシング処理部５１ｉは、図９（ａ）中の矢印Ｄ１で示すように、スピーカ１８Ｃにおけるチャンネルとスピーカ１８Ｌにおけるチャンネルとの相関を考慮して、スピーカ１８Ｌにおける測定用信号Ｌｃｈを求める。具体的には、ミキシング処理部５１ｉは、スピーカ１８Ｃにおける無相関信号Ｘ１及びスピーカ１８Ｌにおける無相関信号Ｘ２と、スピーカ１８Ｃとスピーカ１８Ｌとのチャンネル間で決定されたミキシング量「ｊ＿Ｌｃｈ」とに基づいて、測定用信号Ｌｃｈを求める。より具体的には、図９（ｂ）に示すように、ミキシング処理部５１ｉは、スピーカ１８Ｃにおける無相関信号Ｘ１に対して「ｊ＿Ｌｃｈ」を乗算した値と、スピーカ１８Ｌにおける無相関信号Ｘ２に対して「１−ｊ＿Ｌｃｈ」を乗算した値とを加算した値を、測定用信号Ｌｃｈとして出力する。即ち、ミキシング処理部５１ｉは、以下の式（１）を演算することで測定用信号Ｌｃｈを得る。【００６３】
Ｌｃｈ＝ｊ＿Ｌｃｈ・Ｘ１＋（１−ｊ＿Ｌｃｈ）・Ｘ２    式（１）
次に、ミキシング処理部５１ｉは、図９（ａ）中の矢印Ｄ２で示すように、スピーカ１８Ｌにおけるチャンネルとスピーカ１８ＳＬにおけるチャンネルとの相関を考慮して、スピーカ１８ＳＬのチャンネルにおける測定用信号ＳＬｃｈを求める。具体的には、ミキシング処理部５１ｉは、式（１）より得られたスピーカ１８Ｌにおける測定用信号Ｌｃｈ及びスピーカ１８ＳＬにおける無相関信号Ｘ３と、スピーカ１８Ｌとスピーカ１８ＳＬとのチャンネル間で決定されたミキシング量「ｊ＿ＳＬｃｈ」とに基づいて、測定用信号ＳＬｃｈを求める。詳しくは、以下の式（２）を演算することで測定用信号ＳＬｃｈを得る。【００６４】
ＳＬｃｈ＝ｊ＿ＳＬｃｈ・Ｌｃｈ＋（１−ｊ＿ＳＬｃｈ）・Ｘ３    式（２）
次に、ミキシング処理部５１ｉは、図９（ａ）中の矢印Ｄ３で示すように、スピーカ１８ＳＬにおけるチャンネルとスピーカ１８ＳＲにおけるチャンネルとの相関を考慮して、スピーカ１８ＳＲのチャンネルにおける測定用信号ＳＲｃｈを求める。具体的には、ミキシング処理部５１ｉは、式（２）より得られたスピーカ１８ＳＬにおける測定用信号ＳＬｃｈ及びスピーカ１８ＳＲにおける無相関信号Ｘ４と、スピーカ１８ＳＬとスピーカ１８ＳＲとのチャンネル間で決定されたミキシング量「ｊ＿ＳＲｃｈ」とに基づいて、測定用信号ＳＲｃｈを求める。詳しくは、以下の式（３）を演算することで測定用信号ＳＲｃｈを得る。【００６５】
ＳＲｃｈ＝ｊ＿ＳＲｃｈ・ＳＬｃｈ＋（１−ｊ＿ＳＲｃｈ）・Ｘ４    式（３）
次に、ミキシング処理部５１ｉは、図９（ａ）中の矢印Ｄ４で示すように、スピーカ１８ＳＲにおけるチャンネルとスピーカ１８Ｒにおけるチャンネルとの相関を考慮して、スピーカ１８Ｒのチャンネルにおける測定用信号Ｒｃｈを求める。具体的には、ミキシング処理部５１ｉは、式（３）より得られたスピーカ１８ＳＲにおける測定用信号ＳＲｃｈ及びスピーカ１８Ｒにおける無相関信号Ｘ５と、スピーカ１８ＳＲとスピーカ１８Ｒとのチャンネル間で決定されたミキシング量「ｊ＿Ｒｃｈ」とに基づいて、測定用信号Ｒｃｈを求める。詳しくは、以下の式（４）を演算することで測定用信号Ｒｃｈを得る。【００６６】
Ｒｃｈ＝ｊ＿Ｒｃｈ・ＳＲｃｈ＋（１−ｊ＿Ｒｃｈ）・Ｘ５    式（４）
図１０は、上記のようにして生成された測定用信号における相関値などの一例を示す図である。図１０（ａ）は、生成された測定用信号における相関値、具体的にはスピーカ１８Ｃ、１８Ｌにおけるチャンネル間の相関値の時間変化を示している。また、図１０（ｂ）は、測定用信号を生成する上で用いられたデータのヒストグラムを示している。なお、図１０では、チャンネル間の相関値の平均値として「０．７９１４」を用い、標準偏差として「０．０６３７」を用いた場合を例に挙げている。【００６７】
一方、図１１は、実際のコンテンツにおける相関値、具体的にはスピーカ１８Ｃ、１８Ｌにおけるチャンネル間の相関値の時間変化例を示している。図１０（ａ）と図１１とを比較すると、本実施例に係る方法で生成された測定用信号が、実際のコンテンツにおけるチャンネル間の相関値の時間変化を適切に模擬できていることがわかる。【００６８】
なお、上記では、スピーカ１８Ｃのチャンネルを基準として、スピーカ１８Ｌのチャンネル→スピーカ１８ＳＬのチャンネル→スピーカ１８ＳＲのチャンネル→スピーカ１８Ｒのチャンネルの順に測定用信号を生成していく例を示したが（図９中の白抜き矢印Ｄ１、Ｄ２、Ｄ３、Ｄ４参照）、測定用信号を生成する順序はこれに限定はされない。これは、隣接するチャンネル間の相関に基づいて測定用信号を生成する方法の一例であり、基準とするスピーカをスピーカ１８Ｃとすることに限定はされないし、反時計回り（白抜き矢印Ｄ１、Ｄ２、Ｄ３、Ｄ４の順）に測定用信号を生成していくことにも限定はされない。言い換えると、隣接するチャンネル間の相関に基づいて測定用信号を生成するのであれば、スピーカ１８Ｃ以外のスピーカのチャンネルを基準としても良いし、時計回り（白抜き矢印Ｄ１、Ｄ２、Ｄ３、Ｄ４とは逆の順）に測定用信号を生成していっても良い。【００６９】
［測定用信号生成処理］
次に、図１２を参照して、図７に示した測定用信号生成部５１が行う処理（測定用信号生成処理）について説明する。図１２は、本実施例に係る測定用信号生成処理を示すフローチャートである。この処理は、測定用信号生成部５１によって繰り返し実行される。【００７０】
まず、ステップＳ１０１では、測定用信号生成部５１は、生成すべき測定用信号の時間長及び分割フレーム数を取得する。具体的には、測定用信号生成部５１は、制御部１６から、これらを取得して設定を行う。例えば、測定用信号の時間長を「６０（ｓｅｃ）」に設定し、分割フレーム数を「６０フレーム」に設定する。１つの例では、制御部１６は、ユーザなどからの指示に応じて時間長及び分割フレーム数を設定して、これを測定用信号生成部５１に供給する。ステップＳ１０１の処理が終了すると、処理はステップＳ１０２に進む。【００７１】
ステップＳ１０２では、測定用信号生成部５１は、各チャンネル間の相関値の平均値及び標準偏差を取得する。具体的には、測定用信号生成部５１は、制御部１６から、これらを取得する。例えば、ユーザが曲のジャンルや曲調や音場のイメージなどの少なくともいずれかを選択することで、制御部１６が、この選択に応じた相関値の平均値と標準偏差とを決定して測定用信号生成部５１へ供給する。この場合、制御部１６は、各チャンネル間ごと、曲のジャンルや曲調や音場のイメージなどに対応付けられて記憶された相関値の平均値及び標準偏差のデータを読み出して、測定用信号生成部５１へ供給する。ステップＳ１０２の処理が終了すると、処理はステップＳ１０３に進む。【００７２】
ステップＳ１０３では、測定用信号生成部５１は、分割フレーム分の相関値情報を生成する。具体的には、測定用信号生成部５１内の相関信号生成部５１ｆが、正規分布乱数発生アルゴリズムに基づいて、ステップＳ１０２で取得された相関値の平均値と標準偏差とに応じた乱数データ（±１）を分割フレーム分生成する。そして、処理はステップＳ１０４に進む。【００７３】
ステップＳ１０４では、測定用信号生成部５１は、相関値情報からミキシング量への変換を行う。具体的には、測定用信号生成部５１内のミキシング量決定処理部５１ｈが、予め実験などによって求められた、相関値とミキシング量との関係（マップなど）に基づいて、ステップＳ１０３で生成された相関値情報に対応するミキシング量を決定する。そして、処理はステップＳ１０５に進む。【００７４】
ステップＳ１０５では、測定用信号生成部５１は、所定の演算式に基づいて、１フレーム分の測定用信号を生成する。具体的には、測定用信号生成部５１内のミキシング処理部５１ｉが、前述した式（１）〜（４）などの演算式を用いて、ステップＳ１０４で決定されたミキシング量によって２つの信号をミキシングすることで、１フレーム分の測定用信号を生成する。詳しくは、ミキシング処理部５１ｉは、一方のチャンネルにおける測定用信号（既に生成された信号）と他方のチャンネルにおける無相関信号とを、ミキシング量に応じてミキシングする処理を行う。そして、処理はステップＳ１０６に進む。【００７５】
ステップＳ１０６では、測定用信号生成部５１は、全てのフレーム（例えば６０フレーム）における測定用信号が生成されたか否かを判定する。全てのフレームの測定用信号が生成された場合（ステップＳ１０６；Ｙｅｓ）、処理はステップＳ１０７に進む。これに対して、全てのフレームの測定用信号が生成されていない場合（ステップＳ１０６；Ｎｏ）、処理はステップＳ１０５に戻る。この場合には、測定用信号生成部５１は、次のフレームについて測定用信号を生成する処理を行う。【００７６】
ステップＳ１０７では、測定用信号生成部５１は、全てのチャンネル（例えば５チャンネル）について測定用信号が生成されたか否かを判定する。全てのチャンネルの測定用信号が生成された場合（ステップＳ１０７；Ｙｅｓ）、処理は終了する。これに対して、全てのチャンネルについて測定用信号が生成されていない場合（ステップＳ１０７；Ｎｏ）、処理はステップＳ１０２に戻る。この場合には、測定用信号生成部５１は、次のチャンネルについて、上記したステップＳ１０２〜Ｓ１０６の処理を行うことで、測定用信号を生成する。【００７７】
以上説明した測定用信号生成処理によれば、実際のコンテンツに近い、チャンネル間の相関を有する測定用信号を生成することができる。したがって、このような測定用信号を用いて音場補正を行うことにより、実際のコンテンツ再生時の評価とのギャップを解消することが可能となる。つまり、当該処理によれば、複数チャンネルの合成時の特性評価を適切に行うことが可能となる。【００７８】
［変形例］
上記では、隣接するチャンネル間の相関に基づいて測定用信号を生成する例を示したが（図９など参照）、測定用信号を生成する方法はこれに限定はされない。即ち、隣接するチャンネル間でなくても、任意のチャンネル間の相関に基づいて、例えば比較的強い相関があるようなチャンネル間の相関に基づいて測定用信号を生成することも可能である。【００７９】
また、音場測定を行うたびに測定用信号を生成する処理を行うことに限定はされず、例えば記憶容量に余裕がある場合などには、予め上記方法にて生成した測定用信号を装置内のメモリなどに記憶しておいて、メモリなどから測定用信号を読み出して音場測定を行うこととしても良い。更に、他の例では、予め上記方法にて生成された測定用信号をＣＤやＤＶＤなどの記録媒体（メディア）に記録しておき、当該記録媒体を再生することによって音場測定を行うこととしても良い。
【産業上の利用可能性】
【００８０】
本発明は、サラウンド補正に用いる測定用信号を生成可能に構成されたＡＶシステムなどに利用することができる。
【図１】
2010044158.tif 000003
【図２】
2010044158.tif 000004
【図３】
2010044158.tif 000005
【図４】
2010044158.tif 000006
【図５】
2010044158.tif 000007
【図６】
2010044158.tif 000008
【図７】
2010044158.tif 000009
【図８】
2010044158.tif 000010
【図９】
2010044158.tif 000011
【図１０】
2010044158.tif 000012
【図１１】
2010044158.tif 000013
【図１２】
2010044158.tif 000014
【手続補正書】
【提出日】平成23年2月3日(2011.2.3)
【手続補正１】
【補正対象書類名】特許請求の範囲
【補正対象項目名】全文
【補正方法】変更
【補正の内容】
【特許請求の範囲】
【請求項１】
複数のチャンネル分の測定用信号を生成する測定用信号生成装置であって、
前記複数のチャンネルの各々について、前記測定用信号の生成元となる信号である元信号を取得する元信号取得手段と、
前記複数のチャンネルから２チャンネルを選択する複数の組合せの各々について、予め決定された当該２チャンネル間の相関値の平均値及び標準偏差を記憶する相関値記憶手段と、
前記複数の組合せの各々について、当該２チャンネルについての元信号を、当該２チャンネル間の相関値の平均値及び標準偏差に基づいてミキシングして当該２チャンネルについての測定用信号を生成することにより、前記複数のチャンネル分の測定用信号を生成する測定用信号生成手段と、を備えることを特徴とする測定用信号生成装置。
【請求項２】
前記相関値記憶手段は、実際のコンテンツの信号に基づいて予め決定された前記２チャンネル間の相関値の平均値及び標準偏差を記憶することを特徴とする請求項１に記載の測定用信号生成装置。
【請求項３】
前記相関値記憶手段及び前記測定用信号生成手段は、前記複数のチャンネルにおける前記２チャンネルとして、隣接するチャンネルを選択することを特徴とする請求項１又は２に記載の測定用信号生成装置。
【請求項４】
前記測定用信号生成手段は、正規分布乱数発生アルゴリズムに基づいて、前記２チャンネル間の相関値の平均値と標準偏差とに応じた、時間方向にばらつきを有する相関値の乱数データを生成する乱数生成手段を備えることを特徴とする請求項１乃至３のいずれか一項に記載の測定用信号生成装置。
【請求項５】
前記測定用信号生成手段は、前記乱数生成手段が生成した前記乱数データに基づいて、前記２チャンネル間で前記２つの信号をミキシングする量を決定するミキシング量決定手段を備えることを特徴とする請求項４に記載の測定用信号生成装置。
【請求項６】
前記元信号取得手段は、前記元信号として無相関信号を取得し、
前記測定用信号生成手段は、前記ミキシング量決定手段が決定したミキシング量によって、前記複数のチャンネル分について取得された前記無相関信号のうち任意の２チャンネル間の無相関信号、若しくは前記複数のチャンネル分について取得された前記無相関信号と、前記測定用信号とをミキシングする処理を行うミキシング処理手段を備えることを特徴とする請求項５に記載の測定用信号生成装置。
【請求項７】
前記相関値の平均値と標準偏差とは、曲のジャンル及び曲調の少なくともいずれかに基づいて設定されていることを特徴とする請求項１乃至６のいずれか一項に記載の測定信号生成装置。
【請求項８】
前記測定用信号生成手段で生成された測定用信号を記憶する記憶手段を更に有する請求項１乃至７のいずれか一項に記載の測定用信号生成装置。
【請求項９】
複数のチャンネル分の測定用信号を生成する測定用信号生成方法であって、
前記複数のチャンネルの各々について、前記測定用信号の生成元となる信号である元信号を取得する元信号取得工程と、
前記複数のチャンネルから２チャンネルを選択する複数の組合せの各々について、予め決定された当該２チャンネル間の相関値の平均値及び標準偏差を記憶する相関値記憶工程と、
前記複数の組合せの各々について、当該２チャンネルについての元信号を、当該２チャンネル間の相関値の平均値及び標準偏差に基づいてミキシングして当該２チャンネルについての測定用信号を生成することにより、前記複数のチャンネル分の測定用信号を生成する測定用信号生成工程と、を備えることを特徴とする測定用信号生成方法。
【請求項１０】
コンピュータによって実行され、複数のチャンネル分の測定用信号を生成するための測定用信号生成プログラムであって、
前記コンピュータを、
前記複数のチャンネルの各々について、前記測定用信号の生成元となる信号である元信号を取得する元信号取得手段、
前記複数のチャンネルから２チャンネルを選択する複数の組合せの各々について、予め決定された当該２チャンネル間の相関値の平均値及び標準偏差を記憶する相関値記憶手段、
前記複数の組合せの各々について、当該２チャンネルについての元信号を、当該２チャンネル間の相関値の平均値及び標準偏差に基づいてミキシングして当該２チャンネルについての測定用信号を生成することにより、前記複数のチャンネル分の測定用信号を生成する測定用信号生成手段、として機能させることを特徴とする測定用信号生成プログラム。
【請求項１１】
複数のチャンネル分の測定用信号が記憶された記録媒体であって、
前記複数のチャンネル分の測定用信号は、前記複数のチャンネルにおける２チャンネル間の相関値が異なることを特徴とする記録媒体。
【請求項１２】
前記複数のチャンネル分の測定用信号は、
前記複数のチャンネルの各々について、前記測定用信号の生成元となる信号である元信号を取得する元信号取得手段と、
前記複数のチャンネルから２チャンネルを選択する複数の組合せの各々について、予め決定された当該２チャンネル間の相関値の平均値及び標準偏差を記憶する相関値記憶手段と  、
前記複数の組合せの各々について、当該２チャンネルについての元信号を、当該２チャンネル間の相関値の平均値及び標準偏差に基づいてミキシングして当該２チャンネルについての測定用信号を生成することにより、前記複数のチャンネル分の測定用信号を生成する測定用信号生成手段と、を備える測定用信号生成装置によって生成されることを特徴とする請求項１１に記載の記録媒体。
【手続補正２】
【補正対象書類名】明細書
【補正対象項目名】０００６
【補正方法】変更
【補正の内容】
【０００６】
請求項１に記載の発明は、複数のチャンネル分の測定用信号を生成する測定用信号生成装置は、前記複数のチャンネルの各々について、前記測定用信号の生成元となる信号である元信号を取得する元信号取得手段と、前記複数のチャンネルから２チャンネルを選択する複数の組合せの各々について、予め決定された当該２チャンネル間の相関値の平均値及び標準偏差を記憶する相関値記憶手段と、前記複数の組合せの各々について、当該２チャンネルについての元信号を、当該２チャンネル間の相関値の平均値及び標準偏差に基づいてミキシングして当該２チャンネルについての測定用信号を生成することにより、前記複数のチャンネル分の測定用信号を生成する測定用信号生成手段と、を備える。
【手続補正３】
【補正対象書類名】明細書
【補正対象項目名】０００７
【補正方法】変更
【補正の内容】
【０００７】
請求項９に記載の発明は、複数のチャンネル分の測定用信号を生成する測定用信号生成方法は、前記複数のチャンネルの各々について、前記測定用信号の生成元となる信号である元信号を取得する元信号取得工程と、前記複数のチャンネルから２チャンネルを選択する複数の組合せの各々について、予め決定された当該２チャンネル間の相関値の平均値及び標準偏差を記憶する相関値記憶工程と、前記複数の組合せの各々について、当該２チャンネルについての元信号を、当該２チャンネル間の相関値の平均値及び標準偏差に基づいてミキシングして当該２チャンネルについての測定用信号を生成することにより、前記複数のチャンネル分の測定用信号を生成する測定用信号生成工程と、を備える。
【手続補正４】
【補正対象書類名】明細書
【補正対象項目名】０００８
【補正方法】変更
【補正の内容】
【０００８】
請求項１０に記載の発明は、コンピュータによって実行され、複数のチャンネル分の測定用信号を生成するための測定用信号生成プログラムは、前記コンピュータを、前記複数のチャンネルの各々について、前記測定用信号の生成元となる信号である元信号を取得する元信号取得手段、前記複数のチャンネルから２チャンネルを選択する複数の組合せの各々について、予め決定された当該２チャンネル間の相関値の平均値及び標準偏差を記憶する相関値記憶手段、前記複数の組合せの各々について、当該２チャンネルについての元信号を、当該２チャンネル間の相関値の平均値及び標準偏差に基づいてミキシングして当該２チャンネルについての測定用信号を生成することにより、前記複数のチャンネル分の測定用信号を生成する測定用信号生成手段、として機能させる。
【国際調査報告】
2010044158.tif 000015
2010044158.tif 000016
2010044158.tif 000017
2010044158.tif 000018
2010044158.tif 000019
2010044158.tif 000020